(57)【要約】【課題】ＤＶＤ−ＲＡＭディスクに対応した光ディスク装置おいては、ディスクの状態や再生する場合の振動等によりウォブル信号が乱れ、その振幅が部分的に大きく出力される場合がある。これより、ＣＡＰＡスライスレベルを超えて、ＣＡＰＡ部分の誤判定を招き、リードエラーになる場合があった。【解決手段】光ピックアップの光検出器の出力信号からＲＦ信号を生成するＲＦアンプと、前記ＲＦ信号から生成されるＲＦＤＩＦ信号のＣＡＰＡ部分をスライスレベルを設定して検出しさらに２値化を行うＣＡＰＡスライス回路と、前記ＣＡＰＡスライス回路のスライスレベルを切り替えるＣＡＰＡスライスレベル切替手段と、前記ＣＡＰＡスライスレベル切替手段に対し光ディスクのＣＡＰＡ部読み取り状態に応じて適当なスライスレベルを指示することができるコントローラを備えた。【選択図】  図３
2004355774.tif 000002
【特許請求の範囲】
【請求項１】
光ディスクに対し対物レンズを用いて前記光ディスク上に光スポットを集光してデータの記録・再生を行う光ピックアップと、前記光ピックアップの光検出器の出力信号からＲＦ信号を生成するＲＦアンプと、前記ＲＦ信号から生成されるＲＦＤＩＦ信号のＣＡＰＡ部分をスライスレベルを設定して検出しさらに２値化を行うＣＡＰＡスライス回路と、前記ＣＡＰＡスライス回路のスライスレベルを切り換えるＣＡＰＡスライスレベル切換え手段と、前記ＣＡＰＡスライスレベル切換え手段に対し前記光ディスクのＣＡＰＡ部読み取り状態に応じて適当なスライスレベルを指示することができるコントローラを備えたことを特徴とする光ディスク装置。
【請求項２】
スライスレベルの指示は、ＣＡＰＡ部分の検出が出来ない場合、スライスレベルの値を変更しながら検出動作を繰り返す手順を含むことを特徴とする請求項１記載の光ディスク装置。
【請求項３】
スライスレベルの値は、低い値から高い値に変更しながら検出動作を繰り返す手順を含むことを特徴とする請求項２記載の光ディスク装置。
【請求項４】
スライスレベルの値は、低い値から高い値に１回もしくは複数回変更後最初のスライスレベルの値に戻す手順を含むことを特徴とする請求項２記載の光ディスク装置。
【請求項５】
スライスレベルの最初の値はＣＡＰＡ信号のピーク値の平均レベルの５０％近傍に設定したことを特徴とする請求項３記載の光ディスク装置。
【請求項６】
スライスレベルの値は低い値と高い値の２段階に設定し、高い値は低い値の１５０％近傍に設定したことを特徴とする請求項３記載の光ディスク装置。
【請求項７】
電源投入とともにＣＡＰＡ信号のピーク値を検出し、前記ピーク値の電位の２５％から７５％の範囲内でスライスレベルを設定することを特徴とする請求項２記載の光ディスク装置。
【請求項８】
電源投入とともにＣＡＰＡ信号のピーク値を検出し、最初のスライスレベルを前記ピーク値の電位の５０％近傍に設定し、前記最初のスライスレベルでＣＡＰＡ部分の検出が出来ない場合の次のスライスレベルを前記ピーク値の電位の７５％近傍に設定したことを特徴とする請求項２記載の光ディスク装置。
【発明の詳細な説明】
【０００１】
【発明の属する技術分野】
本発明は光ピックアップにより光ディスクの情報を再生する光ディスク装置に関する。
【０００２】
【従来の技術】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっており、持ち運びが可能なモバイルパソコンでの使用やパソコンのインターフェイス接続の外付けでの光ディスクの用途も拡大しつつある。
【０００３】
ここで、ＤＶＤ−ＲＡＭ駆動装置を例にして、ＣＡＰＡ（Ｃｏｍｐｌｉｍｅｎｔａｒｙ  Ａｌｌｏｏｃａｔｅｄ  Ｐｉｔ  Ａｄｄｒｅｓｓｉｎｇ）にてアドレス情報を記録する方式の従来の光ディスク装置の構成を説明する。
【０００４】
図４は、従来の技術における光ディスク装置のＣＡＰＡ検出制御部のブロック図、図５は、従来の光ディスク装置におけるＣＡＰＡ検出を説明する図である。図４において、１は光ディスク、２はピックアップモジュール、３はスピンドルモータ、４はＲＦアンプ、５はＣＡＰＡスライス回路、６はＤＳＰ、７はＣＡＰＡスライスレベル切換え手段、８はコントローラ、９は光ピックアップである。
【０００５】
図４において、ピックアップモジュール２は、光ディスク１を回転させるスピンドルモータ３と光ピックアップ９により構成されている。光ピックアップ９から光ディスク１にレーザ光の光スポットを照射し、その反射光を光ピックアップ９の内部に構成される光センサ（図示せず）で検知する。ＲＦアンプ４は光センサからの信号出力を基にＲＦ信号を抽出し、ＲＦ信号から生成されるＲＦＤＩＦ信号をＣＡＰＡスライス回路５に出力する。ＣＡＰＡスライス回路５はＲＦアンプ４から入力されたＲＦＤＩＦ信号のＣＡＰＡ部を検出するための閾値（スライスレベル）を切りかえる機能を有する。スライスレベルの設定はコントローラ８から出力し、７のＣＡＰＡスライスレベル切換え手段を介しあらかじめ決められた固定値がＣＡＰＡスライス回路５に入力される。
【０００６】
次にＣＡＰＡ検出のメカニズムを図５を用いて説明する。図５において波形ＡはＲＦＤＩＦ信号を表す。波形ＢはＣＡＰＡ検出をした場合の認識波形を表す。１１はＣＡＰＡ信号、１４はＣＡＰＡと認識した部分、１２は突発的にウォブル信号出力が大きくなった部分、１０はＣＡＰＡを２値化するためのＣＡＰＡスライスレベル、１３はスライスの為の基準電圧である。ＣＡＰＡ部分の検出は、ＣＡＰＡスライスレベル１０をあらかじめ設定しておき、光スポットが光ディスクのＣＡＰＡ領域部分を通過する際に、ＲＦＤＩＦ信号に含まれるＣＡＰＡ信号の部分のみＣＡＰＡスライスレベル１０を超えることで行われる。
【０００７】
このようにして、ＣＡＰＡ部分とデータ部分を切り分けることによりディスクのアドレスデータをドライブが読み込む。
【０００８】
先行例としては、（特許文献１）（特許文献２）等がある。
【０００９】
【特許文献１】
特開２００３−０３６５４２号公報
【特許文献２】
特開２００３−０１６６８０号公報
【００１０】
【発明が解決しようとする課題】
ＤＶＤ−ＲＡＭディスクにおいては、メディアのアドレス情報を記録したウォブルが、ディスクの製造時にディスクの溝に沿って記録されており、ＲＦＤＩＦ信号に表れるが、流通しているＤＶＤ−ＲＡＭディスクのなかには、量産のばらつきによりウォブル信号の振幅が部分的に大きく出力されるものがある。また、光ディスク装置による再生時に振動等によりウォブル信号の振幅を部分的に実際よりも大きく検知してしまう場合がある。ウォブル振幅が部分的に大きくなるとその部分がＣＡＰＡのスライスレベルを超えてしまう場合がある。この現象がデータリード中に発生すると、誤ったアドレスを読み込んでしまい、最悪ディスク上の正確な位置が判らず、ディスクデータが読めないために光ディスク装置はエラーで終了する。
【００１１】
本発明は上記課題を解決するためになされたもので、ＤＶＤ−ＲＡＭなどＣＡＰＡにてアドレス情報を記録する方式の光ディスク装置が、メディアをリードする際のＣＡＰＡ検出の精度を向上し、安定したデータ再生を行える光ディスク装置を提供することを目的とする。
【００１２】
【課題を解決するための手段】
以上の目的を達成するために本発明の光ディスク装置は、光ディスクに対し対物レンズを用いて前記光ディスク上に光スポットを集光してデータの記録・再生を行う光ピックアップと、前記光ピックアップの光検出器の出力信号からＲＦ信号を生成するＲＦアンプと、前記ＲＦ信号から生成されるＲＦＤＩＦ信号のＣＡＰＡ部分をスライスレベルを設定して検出しさらに２値化を行うＣＡＰＡスライス回路と、前記ＣＡＰＡスライス回路のスライスレベルを切り換えるＣＡＰＡスライスレベル切換え手段と、前記ＣＡＰＡスライスレベル切換え手段に対し前記光ディスクのＣＡＰＡ部読み取り状態に応じて適当なスライスレベルを指示することができるコントローラを備えた。
【００１３】
【発明の実施の形態】
本発明の請求項１に記載の発明は、光ディスクに対し対物レンズを用いて前記光ディスク上に光スポットを集光してデータの記録・再生を行う光ピックアップと、前記光ピックアップの光検出器の出力信号からＲＦ信号を生成するＲＦアンプと、前記ＲＦ信号から生成されるＲＦＤＩＦ信号のＣＡＰＡ部分をスライスレベルを設定して検出しさらに２値化を行うＣＡＰＡスライス回路と、前記ＣＡＰＡスライス回路のスライスレベルを切り換えるＣＡＰＡスライスレベル切換え手段と、前記ＣＡＰＡスライスレベル切換え手段に対し前記光ディスクのＣＡＰＡ部読み取り状態に応じて適当なスライスレベルを指示することができるコントローラを備えたことを特徴とする光ディスク装置によって、コントローラにより選ばれた最適なＣＡＰＡスライスレベルを設定することにより、光ディスク装置がＤＶＤ−ＲＡＭメディアをリードする場合にウォブル信号に乱れが発生しても、安定したデータ再生を行える光ディスク装置を実現できる。
【００１４】
本発明の請求項２に記載の発明は、スライスレベルの指示は、ＣＡＰＡ部分の検出が出来ない場合、スライスレベルの値を変更しながら検出動作を繰り返す手順を含むことを特徴とする請求項１記載の光ディスク装置によって、光ディスク装置がＤＶＤ−ＲＡＭメディアをリードする場合にウォブル信号に乱れが発生しても、安定したデータ再生を行える光ディスク装置を実現できる。
【００１５】
本発明の請求項３に記載の発明は、スライスレベルの値は、低い値から高い値に変更しながら検出動作を繰り返す手順を含むことを特徴とする請求項２記載の光ディスクによって、光ディスク装置がＤＶＤ−ＲＡＭメディアをリードする場合にウォブル信号に乱れが発生しても、安定したデータ再生を行える機能をより向上することが出来る。
【００１６】
本発明の請求項４に記載の発明は、スライスレベルの値は、低い値から高い値に１回もしくは複数回変更後最初のスライスレベルの値に戻す手順を含むことを特徴とする請求項２記載の光ディスク装置によって、光ディスク装置がＤＶＤ−ＲＡＭメディアをリードする場合にウォブル信号に乱れが発生しても、安定したデータ再生を行える機能をより向上することが出来る。
【００１７】
本発明の請求項５に記載の発明は、スライスレベルの最初の値はＣＡＰＡ信号のピーク値の平均レベルの５０％近傍に設定したことを特徴とする請求項３記載の光ディスク装置によって、スライスレベルの設定がより適正になり、より安定したデータ再生を行うことが出来る。
【００１８】
本発明の請求項６に記載の発明は、スライスレベルの値は低い値と高い値の２段階に設定し、高い値は低い値の１５０％近傍に設定したことを特徴とする請求項３記載の光ディスク装置によって、スライスレベルの設定がより適正になり、より安定したデータ再生を行うことが出来る。
【００１９】
本発明の請求項７に記載の発明は、電源投入とともにＣＡＰＡ信号のピーク値を検出し、前記ピーク値の電位の２５％から７５％の範囲内でスライスレベルを設定することを特徴とする請求項２記載の光ディスク装置によって、ディスクや光ディスク装置の違いにより、ＣＡＰＡ信号の振幅レベルが若干異なっていても最適なスライスレベルを設定でき、より安定したデータ再生を行うことが出来る。
【００２０】
本発明の請求項８に記載の発明は、電源投入とともにＣＡＰＡ信号のピーク値を検出し、最初のスライスレベルを前記ピーク値の電位の５０％近傍に設定し、前記最初のスライスレベルでＣＡＰＡ部分の検出が出来ない場合の次のスライスレベルを前記ピーク値の電位の７５％近傍に設定したことを特徴とする請求項２記載の光ディスク装置によって、ディスクや光ディスク装置の違いにより、ＣＡＰＡ信号の振幅レベルが若干異なっていても最適なスライスレベルを設定でき、より安定したデータ再生を行うことが出来る。
【００２１】
以下本発明の実施の形態について、図面を参照しながら説明する。
【００２２】
（実施の形態）
図１は本発明の一実施の形態における光ディスク装置のＣＡＰＡ検出制御部のブロック図である。図１において、１は光ディスク、２はピックアップモジュール、３はスピンドルモータ、４はＲＦアンプ、５はＣＡＰＡスライス回路、６はＤＳＰ、７はＣＡＰＡスライスレベル切換え回路、８はコントローラである。
【００２３】
図１において、２のピックアップモジュールは、光ディスク１を回転させるスピンドルモータ３と光ピックアップ９により構成されている。ＲＦアンプ４はピックアップモジュール２の内部に構成される光センサ（図示せず）からの信号出力を基にＲＦ信号を生成し、ＲＦ信号からＲＦＤＩＦ信号を生成する。ここでＲＦ信号とは、ピックアップモジュール２より抽出された光ディスク１のデータ信号であり、ＲＦＤＩＦ信号とは、ＲＦ信号の和信号から生成される信号である。
【００２４】
ＲＦアンプ４はＲＦＤＩＦ信号をＣＡＰＡスライス回路５に出力する。ＣＡＰＡスライス回路５は、ＲＦＤＩＦ信号のＣＡＰＡ部分を検出するとともに、ＣＡＰＡ部分の２値化を行う。ＣＡＰＡ部分は通常のデータ部分とは異なりディスクの溝部分よりずれて記録されている為、ＲＦＤＩＦ信号に電位が発生する。ＲＦＤＩＦ信号のＣＡＰＡ部分の検出は、ＣＡＰＡ信号の部分のみレベルを超えるようＣＡＰＡスライスレベル１０を設定することで行われる。
【００２５】
スライスレベルは、あらかじめ決められたレベルが８のＣＰＵの指令により、７のＣＡＰＡスライスレベル切換え手段を介してＣＡＰＡスライス回路５に設定される。
【００２６】
スライスされ２値化されたＣＡＰＡの信号は、６のＤＳＰへ出力され、ＤＶＤ−ＲＡＭのアドレス情報として認識される。
【００２７】
次に図２、図３を用いて本発明の実施の形態におけるＣＡＰＡ検出制御の動作について詳細に説明する。図２は本発明の一実施の形態における光ディスク装置のＣＡＰＡ検出を説明する図、図３は本発明の一実施の形態におけるＣＡＰＡ検出制御部の動作を示すフローチャートである。図２（ａ）においてＡ波形はＲＦＤＩＦ信号、Ｂ波形はＣＡＰＡ検出をした場合の認識波形であり、ウォブル信号振幅に大きな部分があってその部分がＣＡＰＡ検出のスライスレベルを超えた状態を示している。図２（ｂ）においてＣ波形はＲＦＤＩＦ信号、Ｄ波形はＣＡＰＡ検出をした場合の認識波形であり、ウォブル信号振幅に大きな部分があるが、スライスレベルを高くしてウォブル信号振幅の大きな部分がスライスレベルを超えるのを回避した状態を示している。１０はＣＡＰＡスライスレベル、１０ａはＣＡＰＡスライスレベルＡ、１０ｂはＣＡＰＡスライスレベルＢ、１１はＣＡＰＡ信号、１２はＲＦＤＩＦ信号の局部的にウォブル信号振幅が大きくなった部分、１３はスライスのための基準電圧、１４はＣＡＰＡ認識波形のＣＡＰＡ部分と認識した部分である。
【００２８】
電源が投入されると、コントローラ８はスライスレベルの設定を行う。まず、コントローラ８が設定した１段目のＣＡＰＡスライスレベルＡ１０ａをＣＡＰＡスライス回路５に設定する為にＣＡＰＡスライスレベル切換え回路７に対して指令を行う（Ｓ１）。設定されたＣＡＰＡスライスレベルＡ１０ａの状態を保ったまま、アドレスリード（Ｓ２）を開始する。
【００２９】
次に、光ディスクに記録されたアドレス情報のリードが出来たか否かを判断する（Ｓ３）。ここで、アドレスリードが出来たというのは、図２（ａ）でＡ波形に示すように、ＲＦＤＩＦ信号においてＣＡＰＡ信号１１の部分のみＣＡＰＡスライスレベル１０を超えており、ＣＡＰＡに書き込まれたアドレスデータをコントローラ８が読み取ることが出来た場合をいう。このときＲＦＤＩＦ信号がＣＡＰＡスライスレベル１０を超えることによって得られるＣＡＰＡ検出信号は波形Ｂに示すような正常なものになる。アドレスリードが出来た場合、ＣＡＰＡスライスレベル１０を維持したまま次のアドレスリードを行う（Ｓ４）。ホストコンピュータの指示する目的のアドレスまで達しているか判定し（Ｓ５）、達していない場合はアドレスリードが出来る限りＣＡＰＡスライスレベル１０でアドレスリードを続ける。目的のアドレスまで達した場合リード終了をホストコンピュータに返し、ホストコンピュータの指示を待つ。
【００３０】
また、Ｓ３のポイントでアドレスリードが出来なかった場合、すなわち図２（ｂ）に示すように、ウォブル振幅の局部的に大きい部分１２がＣＡＰＡスライスレベルＡ１０ａを超えたが、ＣＡＰＡではない為、ＣＡＰＡに書き込まれてあるべきアドレスデータをコントローラ８が読み取ることが出来なかった場合、コントローラ８が設定した１段目のＣＡＰＡスライスレベルＡ１０ａをＣＡＰＡスライスレベルＢ１０ｂに変更し、リードを再開する（Ｓ７）。スライスレベルの変更は、ＣＡＰＡスライスレベルＢ１０ｂをコントローラ８がＣＡＰＡスライス回路５に出力しＣＡＰＡスライスレベル切換え回路７を切換えて行う。ＣＡＰＡスライスレベルＢ１０ｂはＣＡＰＡスライスレベルＡ１０ａよりも高い電位に設定されている。アドレスリードが出来たか判定し（Ｓ８）、アドレスリードが出来た場合、すなわち図２（ｂ）のに示すようにＣＡＰＡスライスレベルをＣＡＰＡスライスレベルＡ１０ａからＣＡＰＡスライスレベルＢ１０ｂに変更することで、ＣＡＰＡ信号１１の部分のみＣＡＰＡスライスレベルＢ１０ｂを超えるようになった場合は、ＣＡＰＡスライスレベルＢ１０ｂを維持したまま次のアドレスリードを行う（Ｓ９）。ホストコンピュータの指示する目的のアドレスまで達しているか判定し（Ｓ１０）、達していない場合はアドレスリードが出来る限りＣＡＰＡスライスレベルＢ１０ｂでアドレスリードを続ける。目的のアドレスまで達した場合リード終了をホストコンピュータに返し、ホストコンピュータの指示を待つ。
【００３１】
Ｓ８のポイントでアドレスリードが出来なかった場合、アドレスリードが出来なかった回数が任意の既定回数ｎ回かどうかを判断する（Ｓ１２）。ループ回数が任意の既定のｎ回以下だった場合、ＣＡＰＡスライスレベル１をＣＡＰＡスライスレベルＡ１０ａに戻してアドレスリードを行い（Ｓ１１）、Ｓ３のポイントに戻る。これは、ウォブル信号出力の異常が限定的なもので、再度アドレスリードを行えば解消されている場合があるためである。アドレスリードが出来なかった回数が予め既定した回数ｎ回を超えた場合は、この処理をＮＧで終了させる、もしくはホストコンピュータにリードＮＧを返す。
【００３２】
ＣＡＰＡスライスレベルＡ１０ａのレベルはディスクや光ディスク装置の違いにより若干のばらつきがあるＣＡＰＡ信号のピーク値Ｅの平均レベルの５０％近傍に設定し、ＣＡＰＡスライスレベルＢ１０ｂのレベルはＣＡＰＡスライスレベルＡ１０ａのレベルの１５０％近傍に設定すると良好な検出安定性が得られる。
【００３３】
なお本実施の形態では、スライスレベルは予め設定した２レベルであるが、３レベル以上の複数レベルとし、アドレスリードが出来ない場合、順次上記と同様に低電位のレベルから上げていくことも可能である。
【００３４】
また、ＣＡＰＡスライスレベルの設定方法として、電源投入とともにＣＡＰＡ信号のピーク値Ｅを検出し、このピーク値Ｅの電位の２５％から７５％の範囲内でＣＡＰＡスライスレベルを設定することにより、ディスクや光ディスク装置の違いにより、ＲＦＤＩＦ信号の振幅レベルが若干異なっていても最適なＣＡＰＡスライスレベルを設定できる。具体的には、電源投入とともにＣＡＰＡ信号のピーク値Ｅを検出し、このＣＡＰＡ信号のピーク値Ｅの５０％にＣＡＰＡスライスレベルＡ１０ａを設定し、ＣＡＰＡスライスレベルＢ１０ｂはＣＡＰＡ信号のピーク値Ｅの７５％に設定することにより、最適なスライスレベルを設定できる。
【００３５】
このように、ＣＡＰＡスライスレベルを切換えることによりＤＶＤ−ＲＡＭのＣＡＰＡ部読み取り状態に応じて、コントローラにより選ばれた最適なＣＡＰＡスライスレベルを設定することにより、光ディスク装置がＤＶＤ−ＲＡＭメディアをリードする場合にウォブル信号に乱れが発生しても、安定したデータ再生を行える。
【００３６】
【発明の効果】
光ディスクに対し対物レンズを用いて前記光ディスク上に光スポットを集光してデータの記録・再生を行う光ピックアップと、前記光ピックアップの光検出器の出力信号からＲＦ信号を生成するＲＦアンプと、前記ＲＦ信号から生成されるＲＦＤＩＦ信号のＣＡＰＡ部分をスライスレベルを設定して検出しさらに２値化を行うＣＡＰＡスライス回路と、前記ＣＡＰＡスライス回路のスライスレベルを切り換えるＣＡＰＡスライスレベル換え手段と、前記ＣＡＰＡスライスレベル切換え手段に対し前記光ディスクのＣＡＰＡ部読み取り状態に応じて適当なスライスレベルを指示することができるコントローラを備えたことにより、ＤＶＤ−ＲＡＭメディアをリードする場合にウォブル信号に乱れが発生しても安定したＣＡＰＡの検出が出来、安定したデータ再生を行える光ディスク装置を実現できるものである。
【図面の簡単な説明】
【図１】本発明の一実施の形態における光ディスク装置のＣＡＰＡ検出制御部のブロック図
【図２】本発明の一実施の形態における光ディスク装置のＣＡＰＡ検出を説明する図
【図３】本発明の一実施の形態におけるＣＡＰＡ検出制御部の動作を示すフローチャート
【図４】従来の技術における光ディスク装置のＣＡＰＡ検出制御部のブロック図
【図５】従来の光ディスク装置におけるＣＡＰＡ検出を説明する図
【符号の説明】
１  光ディスク
２  ピックアップモジュール
３  スピンドルモータ
４  ＲＦアンプ
５  ＣＡＰＡスライス回路
６  ＤＳＰ
７  ＣＡＰＡスライスレベル切換え手段
８  コントローラ
９  光ピックアップ
１０  ＣＡＰＡスライスレベル
１０ａ  ＣＡＰＡスライスレベルＡ
１０ｂ  ＣＡＰＡスライスレベルＢ
１１  ＣＡＰＡ信号
１２  ＲＦＤＩＦ信号の局部的にウォブル信号出力が大きくなった部分
１３  基準電圧
１４  ＣＡＰＡ認識波形のＣＡＰＡ部分と認識した部分
【図１】
2004355774.tif 000003
【図２】
2004355774.tif 000004
【図３】
2004355774.tif 000005
【図４】
2004355774.tif 000006
【図５】
2004355774.tif 000007